(57)【特許請求の範囲】
【請求項１】
スクリーン印刷用ステンシル（３）を担持している版胴（１）と、少なくとも一つのシリンダピット（４）を有し、前記版胴（１）と共に印刷把持点を形成する圧胴（２）と、前記版胴（１）の内面に対して半径方向に位置の調節が可能で、前記印刷把持点の領域に設けられたドクタ（６）とを具えた、枚葉紙用ロータリスクリーン印刷機であって、前記圧胴（２）は各シリンダピット（４）にシートグリッパ（５）を具え、該シートグリッパはその閉鎖位置において圧胴（２）の印刷表面の上方には突出せず、位置調節可能な前記ドクタ（６）とこれを制御する作動機構（７，８，９）は、印刷作業の際には前記スクリーン印刷用ステンシル（３）の内面に対してドクタ（６）を押し付けるが、圧胴（２）のシリンダピット（４）が印刷把持点の領域を通過する時には、スクリーン印刷用ステンシル（３）の内面から離れた休止位置を占めるように構成され、前記圧胴（２）の各シリンダピット（４，４′，４″）が位置の調節が可能なカバー（２４）によって部分的に被覆可能であり、該カバーは被覆位置においては閉じたシートグリッパ（５）を完全に被覆すると共に、圧胴の回転方向に見てシリンダピットの前方に位置する圧胴（２）の円筒状外周面に連続して延在し、更に、該カバー（２４）は、作動機構（２２，２６，２７，２８）によって、版胴（１）が通過する際の被覆位置とシリンダピット（４）の内部に下降した位置との間で位置調節可能に構成されているロータリスクリーン印刷機。
【請求項２】
前記作動機構が、軸支されたレバー（７）を有し、該レバーはその一端に前記ドクタ（６）が取付けられ、前記版胴（１）と同時に回転する制御カム（８，８′）にガイドされ、前記ドクタ（６）は、好ましくは作動シリンダ（９）によって前記スクリーン印刷用ステンシル（３）の方向に機械的に予圧されている請求項１に記載のロータリスクリーン印刷機。
【請求項３】
前記制御カム（８）が相対回転しないように前記版胴（１）に固定されている請求項２に記載のロータリスクリーン印刷機。
【請求項４】
前記制御カム（８′）が相対回転しないように前記圧胴（２）に固定されている請求項２に記載のロータリスクリーン印刷機。
【請求項５】
前記版胴（１）が回転している際に、前記ドクタ（６）をスクリーン印刷用ステンシル（３）から離れた休止位置に常に保持するように構成された、別の作動機構（１３，１４；１３′）が設けられている請求項１〜４のいずれか１項に記載のロータリスクリーン印刷機。
【請求項６】
前記休止位置において、ドクタ（６）が１mm程度だけスクリーン印刷用ステンシル（３）から離れて上昇している請求項１〜５のいずれか１項に記載のロータリスクリーン印刷機。
【請求項７】
前記カバー（２４）のための作動機構が固定制御カム（２８）を有する請求項１に記載のロータリスクリーン印刷機。
【請求項８】
印刷作業の際には、紙を保持したグリッパの縁部（５ａ）が印刷把持点に到達する前であっても、ドクタ（６）は休止位置から動かされてスクリーン印刷用ステンシル（３）に押し付けられると同時に、カバー（２４）によって支えられる請求項１又は７に記載のロータリスクリーン印刷機。
【請求項９】
版胴（１）の外殻が、版胴（１）の両側に設けられた環状フランジに固定された弾性を有する可撓性のスクリーン印刷用ステンシル（３）のみからなる請求項１〜８のいずれか１項に記載のロータリスクリーン印刷機。
【発明の詳細な説明】
【０００１】
【発明の属する技術分野】
本発明は、スクリーン印刷用ステンシルを担持している版胴と、少なくとも一つのシリンダピットを有し、前記版胴と共に印刷把持点を形成する圧胴と、前記版胴の内面に対して半径方向に位置の調節が可能で、前記印刷把持点の領域に設けられたドクタとを具えた、枚葉紙用ロータリスクリーン印刷機に関する。
【０００２】
【従来の技術】
高速の枚葉紙印刷機においては、紙は、圧胴のシリンダピット内に収容されたシートグリッパによって圧胴上に保持されている。
ロータリスクリーン印刷機は、版胴の外周上に展張された弾性的に可撓性を有する円筒状のスクリーン印刷用ステンシルを使用し、これをドクタによって内側から押圧して印刷に必要なインキビーズを印刷のための把持点の上流側に集積させて印刷作業を行う。ここでの問題は、圧胴のシリンダピットを通過する際に、スクリーン印刷用ステンシルが圧胴のどの部分からも支持を受けないので、印刷に必要なドクタ圧力がかかった場合に、これを吸収することができず、ステンシルがシリンダピット内に押し込まれて損傷することである。その結果、シリンダピットを通過する際に、ドクタの圧力によってスクリーン印刷用ステンシルが損傷を受けないようにすると共に、印刷に必要なインキビーズを保留する対策が求められている。
【０００３】
【発明が解決しようとする課題】
この項の冒頭に述べたタイプのロータリスクリーン印刷機は、ドイツ特許出願公開公報ＤＥ−Ａ−３，９０３，７２１号に開示されている。この枚葉紙印刷機においては、圧胴はグリッパを具えておらず、紙は印刷把持点の近傍に設けられた一対の搬送ローラによって印刷把持点に供給される。版胴はネット材料で構成された外周部分と、該外周部分の上に設けられて版胴の母線に沿って延在するレールに固定されたスクリーン印刷用ステンシルを有する。圧胴はこのレールに適合したシリンダピットを有し、印刷把持点を通過する際にこのレールがシリンダピット内に入り込むことができる。版胴の内側には、半径方向に周期的に位置調節可能であると共に前記ネット材料、従ってスクリーン印刷用ステンシルに対して押し付けられたドクタローラが設けられている。版胴の軸と圧胴の軸との間の距離は、版胴のスクリーン印刷用ステンシルが該胴の軸と同軸の位置を占めた場合に、圧胴の半径と版胴の半径の合計より幾分大きくなるように選定されている。その結果、スクリーン印刷用ステンシルが版胴の軸に対して同軸位置を維持している限りは、圧胴と版胴は紙の厚さの倍数である特定の距離だけ相互に離れている。印刷作業の際、内側のドクタローラはスクリーン印刷用ステンシルに半径方向に外向きの圧力を加え、これによってステンシルは偏心的に外側に湾曲し、印刷把持点が閉じる。従って、版胴のスクリーン印刷用ステンシルは、定常的に周期的に外側に変形しなければならず、その寿命が損なわれると共に、明らかに印刷速度の上限が限定される。
【０００４】
本発明の目的は、紙が通常のやり方で圧胴のグリッパによって搬送・保持され、圧胴のシリンダピットを通過する際にスクリーン印刷用ステンシルが内側のドクタの圧力から解放されると共に、その円筒形状が維持されるような、ロータリスクリーン印刷機を提供することにある。
【０００５】
【課題を解決するための手段】
この目的を達成するために、本発明にあっては、圧胴は各シリンダピットにシートグリッパを具え、該シートグリッパはその閉鎖位置において圧胴の印刷表面の上方には突出せず、前記版胴の外殻が、版胴の両側に設けられた環状フランジに固定された弾性を有する可撓性のスクリーン印刷用ステンシルのみからなり、位置調節可能な前記ドクタとこれを制御する作動機構は、印刷作業の際には前記スクリーン印刷用ステンシルの内面に対してドクタを押し付けるが、圧胴のシリンダピットが印刷把持点の領域を通過する時には、スクリーン印刷用ステンシルの円筒形状を維持するためにスクリーン印刷用ステンシルの内面から離れた休止位置を占めるように構成されている。
【０００６】
本発明のスクリーン印刷機によれば、枚葉紙印刷における通常の印刷速度を維持しながら、スクリーン印刷用ステンシルの損傷の危険性を解消することができる。スクリーン印刷用ステンシルをドクタの圧力から解放するのに、該ステンシルからドクタを非常に僅かな距離だけ上昇させればよいので、インキビーズは実質的にそのまま印刷把持点の上流側に維持される。これによって、シリンダピットを通過した後、スクリーン印刷用ステンシル上にドクタが下降すると、非常に短い始動段階を経るのみで、再び圧力を加えることが可能となる。更に、ドクタの制御機構が構造的に簡単である。
【０００７】
さらに、本発明によれば、圧胴は各シリンダピットにシートグリッパを具え、該シートグリッパはその閉鎖位置において圧胴の印刷表面の上方には突出せず、位置調節可能な前記ドクタとこれを制御する作動機構は、印刷作業の際には前記スクリーン印刷用ステンシルの内面に対してドクタを押し付けるが、圧胴のシリンダピットが印刷把持点の領域を通過する時には、スクリーン印刷用ステンシルの内面から離れた休止位置を占めるように構成され、前記圧胴の各シリンダピットが位置の調節が可能なカバーによって部分的に被覆可能であり、該カバーは被覆位置においては閉じたシートグリッパを完全に被覆すると共に、圧胴の回転方向に見てシリンダピットの前方に位置する圧胴の円筒状外周面に連続して延在し、更に、該カバーは、作動機構によって、版胴が通過する際の被覆位置とシリンダピットの内部に下降した位置との間で位置調節可能に構成されている。印刷が紙の前端の近くから始まる場合には、圧胴のシリンダピット及びその中に設けられたグリッパ用の位置調節可能なカバーを設けることが望ましい。印刷が開始される前にこのカバーは被覆位置を占め、グリッパの縁が印刷把持点を通過する直前に版胴のドクタが下降しても、ドクタとスクリーン印刷用ステンシルとがこのカバーの支持を受けるようになっている。シリンダピットとグリッパのこのようなカバーによって、圧胴の外郭その回転方向の全体にわたって完全となり、グリッパの領域には孔や縁が存在せず、スクリーンや下降したドクタがこれらによって損傷を受けることが防止される。
【０００８】
請求項の各項は本発明の他の実施態様を記述したものである。
以下、図面を参照して、本発明の実施の各形態について更に詳細に説明する。
【０００９】
【発明の実施の形態】
図１と２によれば、ロータリスクリーン印刷機は版胴１と圧胴２を有し、圧胴は版胴と共に印刷把持点を形成し、紙Ｂはここを通過する際に版胴１によって印刷される。これらの胴の回転方向は矢印で示されている。版胴１の外殻を構成するのは円筒形のスクリーン印刷用ステンシル３だけであり、該ステンシルは胴軸に関して同心的に設けられ、弾性による可撓性を有し、版胴１の両側で環状フランジに固定されている。
【００１０】
この実施形態においては、圧胴２の直径は版胴１の直径の２倍になっている。従って、圧胴２は、直径方向に対面して設けられたシリンダピット４によって分離された二つの印刷セグメントを有し、そのそれぞれに紙Ｂが受入れられる。これらのシリンダピット４にはシートグリッパ５が収容され、通常のようにグリッパシャフト２０に位置調節可能に取付けられ、紙Ｂが圧胴２上を搬送される際及び印刷（図１）される際に、紙Ｂの先端縁をグリッパの把持縁によってグリッパ台２１に対して押し付けることによって保持する。グリッパ５は、閉鎖位置において圧胴２の印刷表面の上方に突出しないように、取付けられている。
【００１１】
版胴１の内側には、印刷把持点の上流側領域にドクタ６が設けられ、該ドクタは該印刷把持点の直ぐ上流で版胴１の内側にインキを集積させてインキビーズＦを形成すると共に、印刷作業の際に、内側からスクリーン印刷用ステンシル３を圧胴２に対して、即ち、圧胴２の印刷領域に置かれた紙Ｂ（図１）に対して押し付ける作用をなす。しかし、シリンダピット４が通過する際には、弾性的スクリーン印刷用ステンシル３は圧胴２によって支えられず、従って印刷のためにドクタにかかる圧力の吸収を行うことはできず、スクリーン印刷用ステンシルがシリンダピット内に押し込まれて破損する恐れがあるので、シリンダピット４を通過する際には、ドクタ６は、スクリーン印刷用ステンシルを破損せずしかも印刷に必要なインキビーズＦが保存される程度に、スクリーン印刷用ステンシル３から離れて持ち上げられる。
【００１２】
この目的のために、ドクタ６は作動機構によって制御され、該作動機構は、この実施形態の場合には、Ｌ字型レバー７と、版胴１と共に回転するようにこれに固定されたカム円板の形状の制御カム８と、作動シリンダ９とを有する。前記レバー７は中間で即ちその湾曲部で固定軸１０に軸支されている。ドクタ６は版胴１の内側に設けられた前記レバー７の一端に固定され、レバーの他端は制御カム８と連携するカムローラ１１を担持している。作動シリンダ９は、カムローラ１１を担持しているレバー７の端の近くに係合し、固定軸１２に回動可能に軸支され、調節可能な力によって、前記レバー７を図１において反時計方向に軸１０を中心に回動させ、ドクタ６をスクリーン印刷用ステンシル３の内側に向かって押し付ける。制御カム８は半径方向に外側に拡がった領域８ａを具え、該領域の外周長さはシリンダピット４の長さと一致している。制御カムのこの領域８ａは、シリンダピット４と合致するように配置され、その半径は、圧胴２のシリンダピット４が版胴１を通過する度に、カムローラ１１がこの領域８ａ上を転動する結果としてドクタ６が内側に回動してスクリーン印刷用ステンシル３から離れて持ち上げられる（図２）ように選定されている。この結果、スクリーン印刷用ステンシル３はシリンダピット４内に押し込まれず、従って損傷されない。
【００１３】
前記領域８ａを外れた制御カム８の残りの大きな外周部分の半径は小さく設定され、作動シリンダ９がレバー７を押す結果として、ドクタ６はスクリーン印刷用ステンシルを押圧し、圧胴２の印刷領域に置かれた紙Ｂ（図１）に対して所定の力を加える。従って、印刷作業の際にはドクタ６は作動シリンダ９の力のみを受け、レバー７のカムローラ１１は制御カム８に接触しない。制御カム８によってドクタ６をスクリーン印刷用ステンシルから離れた位置に調節する作用は、一定の力を加えている作動シリンダ９の作用に逆らって行われる。
【００１４】
ドクタ６を持ち上げたまま、印刷に必要なインキビーズＦを可能な限り保留するためには、ドクタを短い段階だけ僅かに例えば１mm程度持ち上げれば、スクリーン印刷用ステンシルをドクタの圧力から解放するのに充分である。これによって、シリンダピットが通過した後、ドクタ６がスクリーン印刷用ステンシル３上に下降する時、非常に短い始動段階を経て圧力が再び加えられ、インキビーズは実質的にそのまま保存されるか又は再び急速に形成される。
【００１５】
上に述べた方法によれば、枚葉紙処理の際の通常の速度に対応する印刷速度が可能となる。その結果、スクリーン印刷工程を他の印刷工程と直結することも可能となり、生産性を低下させることなく省力化が可能となる。こうして、本発明のスクリーン印刷機は、スクリーン印刷機を離れた紙を中断することなしに、対応する搬送システム、例えばチェーングリッパシステム等によって、通常の印刷速度で作動可能な番号印刷機やオフセット印刷機等の下流側の印刷機に直接供給するように、下流側の他の印刷機と組合せることが可能である。
【００１６】
図１，２に示された例には、作動シリンダ１３と、該作動シリンダ１３によって固定軸１５を中心に二つの位置の間を回動可能な爪レバー１４とを具えたもう一つの作動機構が設けられている。図１，２に示された爪レバー１４の一方の位置においては、爪レバーは前記レバー７と離れ、該レバー７の機能に何の影響も与えていない。他方の位置では、爪レバー１４は、その端に取付けられた爪がカムローラ１１を担持しているレバー７の端の背後に係合して該レバー７を不作動位置に係止するまで、図において反時計方向に回動し、ドクタ６を版胴１の内部に回動させスクリーン印刷用ステンシル３から持ち上げて離す。この目的のために、レバー７はストッパ１６を具え、前述の位置においてその背後に爪レバー１４の爪が係合する。印刷作業が中断又は終了した場合に圧胴２が版胴１から離れて持ち上げられる度に、レバー７はこの係止位置を占める。
【００１７】
印刷が紙の先端縁のごく近傍で開始される特殊な例においては、スクリーン印刷用ステンシルの内面へのドクタの下降がおそ過ぎ、充分な圧力が生じないことがある。これを避けるために、圧胴の片方又は両方のシリンダピットの領域に位置調節可能なカバーを設け、このカバーにより印刷開始時における閉鎖したシートグリッパの上方におけるシリンダピットの危険領域を被覆するようにする。即ち、このカバーは印刷の際にスクリーン印刷用ステンシルのための円筒状始動部となるとと共に、グリッパのための空間を形成するのにも役立つ。このような圧胴の一例が図３，４に示されている。
【００１８】
圧胴２のシリンダピット４の中には、グリッパシャフト２０に取付けられたグリッパ５の他に、回動可能なレバーアーム２２が設けられ、その内側端は圧胴２のグリッパシャフト２０の下方のピットの底の近傍に設けられたシャフト２３を中心に回動可能であり、一方、その他端には平らなカバー２４が取付けられている。レバーアーム２２は、グリッパシャフト２０に対面する側に、グリッパシャフト２０に適合する凹部２５を具えている。グリッパ機構と、グリッパ台２１と、閉鎖位置においてそこに縁部５ａを載せるグリッパ５とは、圧胴の印刷表面の包絡線の下方まで下降している。この構成によれば、レバーアーム２２が、シリンダピット４の内部に完全に下降した位置（図４）とカバー２４が閉じたグリッパ５によって占められたピット４の領域を被覆する位置との間を回動可能である。より詳しく説明すると、シリンダピットの背後に位置され、印刷を行う紙がその上に載置される圧胴２の印刷領域の円筒状表面は、カバー２４の上面によって、シリンダピット４（図３）の略中央まで延長されるようになっている。従って、このカバー２４は圧胴２のグリッパ５のための空間を形成すると共に、これを被覆し、圧胴２の隣接する印刷セグメントと共に閉じた表面を形成する。
【００１９】
図３に示すように、シリンダピット４は部分的に被覆され、版胴１のドクタ６がグリッパの縁部５ａの手前で下降しても支えが得られるようになっており、これによって正しい印刷が保証されると共に、スクリーン印刷用ステンシルの損傷が防がれる。カバー２４は、グリッパの縁に隣接する圧胴２の印刷セグメントに継ぎ目無しに没入し、スクリーン印刷工程に適合した充分に長い始動段階にわたって、圧胴の直径上でグリッパ５とシリンダピット４とを始動曲線によって被覆できるように構成されている。
【００２０】
カバー（２４）付きのレバーアーム２２用の制御機構は、一例をあげると、通常型の固定カム円板即ち制御カム２８と、制御カム２８上を所定応力の下で押し付けられて転動し、レバーアーム２２に固定されたアーム２７の一端に取付けられたカムローラ２６と、で構成されている。図３，４に概略図示されている制御カム２８は、グリッパ５を開閉するのに使用される通常の制御カムと同じように構成され、印刷の開始時にレバーアーム２２がカバー２４と共に図３に示す閉鎖位置を占めるような形状をしている。渡し胴に紙を移転するために、又は渡し胴から紙を受け取るために、グリッパ５が開く前に、レバーアーム２２はカバー２４と共に制御カム２８によってシリンダピット４内を回動し、図４に示す位置を占め、各渡し胴のカウンタグリッパが圧胴２のシリンダピットに没入することができる。制御カム２８の半径方向突出領域２８ａ上をカムローラ２６が転動し、レバーアーム２２がストッパ２９上に載っている図示位置は、圧胴２が更に回転してグリッパ５が各渡し胴から新たな紙を受け取り、閉鎖位置を占めるまで維持される。
【００２１】
カバー２４の下降位置においては、シリンダピットの自由接近可能な空間の大きさは、シリンダピット４への紙の供給／排出用の渡し胴のカウンタグリッパの確実な没入を可能とするようにされている。
こうして、圧胴２が完全に一回転する間に、図３に示す印刷位置から始まる次の位置調節作用が行われる。
【００２２】
シリンダピットが版胴１を通過した後、グリッパ５が紙を受け取る渡し胴に到達する前に、レバー２２はカバー２４と共に、制御カム２８によって下降位置（図４）に回動する。この渡し胴上への紙の移転の際に、グリッパ５は開放位置（図４）に位置調節され、圧胴２が更に回転した後、紙を供給する渡し胴に到達するまでその位置に留まる。次に、グリッパ５は閉じて新たな紙を保持し、続いてレバーアーム２２は、紙が印刷位置に到達する前に、カバー２４と共に図３に示す印刷把持点に再び位置調節される。
【００２３】
シリンダピット４の前縁と閉じたカバー２４との間に形成された中断部分が版胴１を通過する間、版胴１のドクタ６は内向きに回動してスクリーン印刷用ステンシル３を解放し、回転方向に見てカバー２４の前部領域が印刷把持点に位置すると直ぐに、ドクタ６は再びスクリーン印刷用ステンシル３上に下降し、安定したインキビーズが形成されて圧胴２の印刷セグメント上で印刷が開始される。
【００２４】
図５と６は、本発明の別の実施形態を模式的に示したものであり、図３，４に関して説明したように、印刷把持点が通過する際にシリンダピットは部分的に被覆され、グリッパは閉鎖位置で完全に被覆される。この例では、圧胴２は三つのシリンダピット４，４′，４″によって三つの印刷セグメントに分離されている。
【００２５】
しかし、図１，２に示した例との主な違いは、シリンダピット４の通過の際にスクリーン印刷用ステンシル３の内面からドクタ６を持ち上げて離す動作を制御する制御カム８′が圧胴２の側面に固定され、これと共に回転する点にある。この結果、版胴はこの制御カムの重量から解放される利点を有する。この構成によれば、ドクタ６の作動機構は異なるものとなるが、基本的には図１，２で述べた部品で構成され、即ち、ドクタ６を担持し、固定軸１０を中心に回動可能で、更に制御カム８′上を転動するカムローラ１１を具えたレバー７と、位置１２で回動自在に取付けられた、ドクタ６を所定の力で押圧する作動シリンダ９と、単に模式的に示され、図１，２における部品１３，１４，１５のようにドクタ６を持ち上げられた離し位置に係止する作動機構１３′からなる。制御カム８′は、前記三つのシリンダピット４，４′，４″の各領域に半径方向に突出した領域８ａ′を有し、それによってカムローラ１１はレバー７と共に位置を調節され、シリンダピットの開放領域が印刷把持点を通過する度に、図１，２を参照して述べたようにドクタ６はスクリーン印刷用ステンシル３から僅かに離れて上昇する。
【００２６】
図３，４の例の如く、各シリンダピット４，４′，４″にはグリッパシャフト２０を中心に位置調節可能なシートグリッパ５と、グリッパ台と、レバーアーム２２に固定されたカバー２４とが取付けられ、該レバーアーム２２はシャフト２３を中心に回動可能であり、更に機械的な予圧の下で固定の制御カム２８上に押し付けられてその上を転動するカムローラ２６を担持している。
【００２７】
図５，６は、紙を圧胴２上に移送する渡し胴３０と、印刷された紙を圧胴２から取り外す渡し胴３１とが模式的に示されている。この構成によれば、印刷把持点が通過する際に閉鎖位置にあるカバー２４は、渡し胴３１に到達する前に下方位置に位置を調節され、他の渡し胴３０を通過するまで該位置に留まる。その後、印刷把持点に到達する前に、カバー２４は再び閉じられる。制御カム２８は、二つの渡し胴３０，３１の領域を含む半径方向に外側に突出した領域２８ａを有し、これによって、カムローラ２６がこの領域２８ａ上を転動している間は各カバー２４が下方の開放位置を占める。従って、渡し胴３０，３１のグリッパは各シリンダピットに係合し、圧胴２の開いた各グリッパ５に紙を移転させたり、圧胴２から紙を受け取ったりすることが可能となる。
【００２８】
図５によれば、シリンダピット４は印刷把持点の領域を通過したばかりで、まだカバー２４によって部分的に被覆され、一方、シリンダピット４′のカバー２４は下方位置を占め、シリンダピット４″のカバー２４は渡し胴３０を通過して閉鎖位置を占めている。ドクタ６は未だにスクリーン印刷用ステンシル３から上昇して離れた位置にある。図６によれば、圧胴２は矢印の方向に更に回転し、渡し胴３１を通過しつつあるシリンダピット４のカバー２４はその間に下降し、一方、他の二つのシリンダピット４′と４″のカバーの位置は不変であり、ドクタ６は再びスクリーン印刷用ステンシル３を押し付ける位置に復帰する。
【００２９】
本発明は、前述のドクタ６の作動機構及び圧胴２のカバー２４の作動機構の例に限定されるものではなく、構造的に種々の変形が可能である。
【図面の簡単な説明】
【図１】図１は、紙の印刷を行っている、本発明のスクリーン印刷機の一実施形態の模式図である。
【図２】図２は、圧胴のシリンダピットが版胴を通過する際の圧胴と版胴の位置を示す前記印刷機の模式図である。
【図３】図３は、シリンダピットの位置調節可能なカバーを具えた特別に構成された第２の実施形態の圧胴のシリンダピットの近傍の拡大図であって、図３の表示ではピットの一部が被覆されている。
【図４】図４は図３と同じ実施形態を示しているが、カバー機構はシリンダピットの内部に沈み込んで休止位置を占めている。
【図５】図５と第３の実施形態のスクリーン印刷機を示す模式図である。
【図６】図６は図５と同一であるがスクリーン印刷機が別の作動状態にある場合を示している。
【符号の説明】
１…版胴
２…圧胴
３…ステンシル
４…シリンダピット
５…シートグリッバ
６…ドクタ
７…レバー
８，８′…制御カム
２４…カバー
２８…制御カム
【図１】
0003708608.tif 000002
【図２】
0003708608.tif 000003
【図３】
0003708608.tif 000004
【図４】
0003708608.tif 000005
【図５】
0003708608.tif 000006
【図６】
0003708608.tif 000007